(57)【要約】【課題】  移植されている医療装置の性能を診断してバルブ設定を確認するための装置及び方法を提供すること。【解決手段】  ハウジング、ハウジング内に配設されたバルブ、バルブの上流のハウジング内に配設された第１の圧力センサ、及びバルブの下流のハウジング内に配設された第２の圧力センサを含む移植用医療装置。ＣＰＵがハウジング内に配設され、第１及び第２の圧力センサに電気的に接続されている。測定した圧力情報を外部装置に送信するために、ＣＰＵが、第１の圧力センサによって測定された圧力と第２の圧力センサによって測定された圧力とを比較し、比較した圧力を外部装置に無線送信する。別法では、ＣＰＵは、第１及び第２の圧力センサによって測定された圧力の絶対値を外部装置に無線送信することができる。更に、ＣＰＵ及び各センサを、光学的または音響的方法を用いて非侵襲的に作動させることができる。【選択図】        図３
2005013727.tif 000002
【特許請求の範囲】
【請求項１】
移植用医療装置であって、
ハウジングと、
前記ハウジング内に配設されたバルブと、
前記バルブの上流の前記ハウジング内に配設された第１の圧力センサと、
前記バルブの下流の前記ハウジング内に配設された第２の圧力センサと、
前記ハウジング内に配設された、前記第１の圧力センサ及び前記第２の圧力センサに機能的に接続されたＣＰＵとを含むことを特徴とする移植用医療装置。
【請求項２】
移植用医療装置であって、
ハウジングと、
前記ハウジング内に配設されたバルブと、
前記バルブの上流の前記ハウジング内に配設された第１の圧力センサと、
前記バルブの下流の前記ハウジング内に配設された第２の圧力センサと、
前記第１の圧力センサ及び前記第２の圧力センサに機能的に接続されたＣＰＵとを含むことを特徴とする移植用医療装置。
【請求項３】
移植された医療装置の性能を診断するための方法であって、
前記移植された医療装置が、
ハウジングと、
前記ハウジング内に配設されたバルブと、
前記バルブの上流の前記ハウジング内に配設された第１の圧力センサと、
前記バルブの下流の前記ハウジング内に配設された第２の圧力センサと、
前記ハウジング内に配設された、前記第１の圧力センサ及び前記第２の圧力センサに機能的に接続されたＣＰＵとを含み、
前記方法が、
前記第１の圧力センサによって測定された圧力と前記第２の圧力センサによって測定された圧力とを比較するステップと、
その比較された圧力を外部装置に無線送信するステップとを含むことを特徴とする方法。
【請求項４】
移植された医療装置の性能を診断するための方法であって、
前記移植された医療装置が、
ハウジングと、
前記ハウジング内に配設されたバルブと、
前記バルブの上流の前記ハウジング内に配設された第１の圧力センサと、
前記バルブの下流の前記ハウジング内に配設された第２の圧力センサと、
前記ハウジング内に配設された、前記第１の圧力センサ及び前記第２の圧力センサに機能的に接続されたＣＰＵとを含み、
前記方法が、
前記ＣＰＵが前記第１の圧力センサによって検出された圧力を決定するステップと、
前記ＣＰＵが前記第２の圧力センサによって検出された圧力を決定するステップと、
これらの決定された圧力を無線送信するステップとを含むことを特徴とする方法。
【請求項５】
移植用医療装置であって、
ハウジングと、
前記ハウジング内に配設されたバルブと、
前記ハウジング内に配設された差圧センサと、
前記ハウジング内に配設された、前記差圧センサに電気的に接続されたＣＰＵとを含むことを特徴とする移植用医療装置。
【請求項６】
移植された医療装置の性能を診断するための方法であって、
前記移植された医療装置が、
ハウジングと、
前記ハウジング内に配設されたバルブと、
前記ハウジング内に配設された差圧センサと、
前記ハウジング内に配設された、前記差圧センサに電気的に接続されたＣＰＵとを含み、
前記方法が、
前記ＣＰＵが前記差圧センサによって検出された圧力を決定するステップと、
この決定された圧力を外部装置に無線送信するステップとを含むことを特徴とする方法。
【請求項７】
移植された医療装置の性能を診断するための方法であって、
前記移植された医療装置が、
ハウジングと、
前記ハウジング内に配設されたバルブと、
前記バルブの上流の前記ハウジング内に配設された第１の圧力センサと、
前記バルブの下流の前記ハウジング内に配設された第２の圧力センサとを含み、
前記方法が、
前記第１の圧力センサによって検出された圧力を表わす信号を外部装置に無線送信するステップと、
前記第２の圧力センサによって検出された圧力を表わす信号を外部装置に無線送信するステップとを含み、
前記外部装置で、前記第１の圧力センサによって検出された圧力と前記第２の圧力センサによって検出された圧力とを比較するステップとを含むことを特徴とする方法。
【請求項８】
移植された医療装置の性能を診断するための方法であって、
前記移植された装置が、
ハウジングと、
前記ハウジング内に配設されたバルブと、
前記バルブの上流の前記ハウジング内に配設された第１の圧力センサと、
前記バルブの下流の前記ハウジング内に配設された第２の圧力センサとを含み、
前記方法が、
前記第１の圧力センサから信号を生成するステップと、
前記第２の圧力センサから信号を生成するステップと、
前記第１の圧力センサからの前記信号と前記第２の圧力センサからの前記信号とを比較するステップと、
前記第１の圧力センサによって測定された圧力と前記第２の圧力センサによって測定された圧力との差圧を表わす信号を生成するステップと、
前記差圧を表わす前記信号を外部装置に無線送信するステップとを含むことを特徴とする方法。
【請求項９】
移植用医療装置であって、
ハウジングと、
前記ハウジング内に配設されたバルブと、
前記バルブの上流の前記ハウジング内に配設された第１の圧力センサと、
前記バルブの下流の前記ハウジング内に配設された第２の圧力センサとを含むことを特
徴とする移植用医療装置。
【発明の詳細な説明】
【技術分野】
【０００１】
本発明は、移植用医療装置の性能を診断するための圧力センサを備えた該移植用医療装置に関する。より詳細には、本発明は、テレメトリーなどの非侵襲性技術を用いて移植されている移植用シャントの性能を診断するための圧力センサを備えた該移植用シャントに関する。
【背景技術】
【０００２】
本発明は、頭蓋内シャント内の圧力を測定するための圧力センサを含む該頭蓋内シャントに関連し、その情報をテレメトリーによって外部装置に送信するための装置を含む。
【０００３】
水頭症は、様々な理由によって脳の脳室に蓄積された過剰な脳脊髄液（ＣＳＦ）を放出することができない症状を指す。脳室空間におけるＣＳＦの過剰な蓄積は、硬膜の内外の圧力を上昇させる。これにより、脳組織の圧迫や脳の正常な代謝の阻害を含む様々な有害な生理現象が引き起こされる。水頭症の治療では、シャントバルブを用いて異常に蓄積された流体の放出が頻繁に行われる。シャントバルブは体内に移植されるため、シャントバルブの性能を非侵襲的に評価するのが困難である。
【０００４】
米国マサチューセッツ州レインハム（Raynham）に所在のコドマン＆シャートレフ社（Codman & Shurtliff, Inc.）が販売するＣＯＤＭＡＮ ＨＡＫＩＭ Ｐｒｏｇａｍｍａｂｌｅ Ｖａｌｖｅ（登録商標）、または言及すること以ってその全てを本明細書の一部とする特許文献１−４に開示されているプログラマブル・シャントバルブなどのプログラマブル・バルブは、通常はＨａｋｉｍプログラマブル・バルブと呼ばれている。これらの特許文献に開示されているＨａｋｉｍバルブは、ルビーシートのルビーバルブに加えられる力によって決まる極めて正確な開口圧力をもつ差圧バルブである。バルブが開く時の圧力は、医師が外部から加える回動する磁界を用いて非侵襲的に調節することができる。バルブを開ける圧力は、ルビーボールにかかるバネの圧力を変更して調節することができる。外部磁界を加えてバルブの軟質の磁気固定子部材にエネルギーを加えることで調節サイクルが始まる。この磁界により、回転子が中心軸を中心に回動する。固定子の極性が替わると、回転子（カム）が別の位置に移動してその固定子に整合する。これらの部材が協働して、ステッピングモータとして動作する。カムが時計回りまたは反時計回りに回動する時にバネがそのカムに沿って移動し、バネの張力が増大したり、減少したりする。Ｈａｋｉｍプログロマブル・シャントバルブは現在、バルブを調節した後でＸ線写真を撮ってその新しい設定を確認する方法を用いている。更なるエネルギー手段を用いて従来の方法でバルブの位置を決定することができるが、不所望の合併症が生じる可能性が高い。例えば、バルブの位置を確認するために磁界を用いる場合、臨床環境内の金属機器が、磁界の力を用いて得たこのような情報の精度に悪影響を及ぼし、値が不正確となってしまう。
【特許文献１】米国特許第４，５９５，３９０号明細書
【特許文献２】米国特許第４，６１５，６９１号明細書
【特許文献３】米国特許第４，７７２，２５７号明細書
【特許文献４】米国特許第５，９２８，１８２号明細書
【発明の開示】
【発明が解決しようとする課題】
【０００５】
従って、外科医がシャントバルブの性能を非侵襲的に評価できる装置が当分野で要望されている。更に、患者が磁気または放射線エネルギーに繰り返しさらされるのを低減または排除するように、外科医が非侵襲的にバルブの設定を確認できる装置が当分野で要望されている。
【０００６】
使用中に、シャントバルブが故障する場合があるが、外科医はその理由を瞬時に確認することができない。シャントバルブ故障の理由の１つは、脳室カテーテル内の排出開口の閉塞により、バルブハウジング機構内への流体の流入が阻害されることによる。シャントバルブ故障の別の理由は、バルブ機構自体の故障、または排出カテーテルの先端開口の閉塞である。しかしながら、外科医が現在、障の原因を知ることができる唯一の方法は侵襲性医療技術を用いることである。従って、外科医がシャントバルブの故障を非侵襲的に決定することができる装置が当分野で要望されている。
【０００７】
従って、本発明の目的は、移植されている医療装置の性能を診断してそのバルブ設定を確認するための装置及び方法を提供することにある。
【課題を解決するための手段】
【０００８】
本発明のこれら及び他の目的は、ハウジング、そのハウジング内に配設されたバルブ、そのバルブの上流のハウジング内に配設された第１の圧力センサ、及びそのバルブの下流のハウジング内に配設された第２の圧力センサを含む移植用医療装置で達成可能である。ＣＰＵが、ハウジング内に配設され、第１の圧力センサ及び第２の圧力センサに電気的に接続されている。測定した圧力情報を外部装置に送信するために、ＣＰＵは、第１の圧力センサによって測定された圧力を第２の圧力センサによって測定された圧力と比較し、比較した圧力を外部装置に無線送信する。別法では、ＣＰＵは、第１の圧力センサ及び第２の圧力センサによって測定された圧力の絶対値を外部装置に無線送信することができる。
【発明の効果】
【０００９】
移植されている医療装置の性能を診断してそのバルブ設定を確認するための装置及び方法が提供される。
【発明を実施するための最良の形態】
【００１０】
本発明の更なる特徴及び他の目的は、本発明に従った移植された医療装置の性能を診断するための圧力センサを備えた該移植用医療装置を限定目的ではなく模式的に例示する添付の図面を用いた以下の説明から明らかになるであろう。
【００１１】
図１−図４を参照すると、本発明に従った移植用シャントシステム１０が例示されている。装置１０は、ハウジング１２、そのハウジング１２内に配設されたバルブ機構１４を含む。バルブ１４は、当分野で周知のＨａｋｉｍ型プログラマブル・バルブが好ましい。例えば、言及することを以って本明細書の一部とする特許文献４を参照されたい。もちろん他のリリーフバルブを、所望に応じてハウジング１２内に配設することもできる。図３に例示されているように、第１の圧力センサ１６が、バルブ１４の下流のハウジング１２内に配設されている。第２の圧力センサ１８が、バルブ１４の上流のハウジング１２内に配設されている。中央処理装置（ＣＰＵ）２０が、ハウジング１２内に配設され、配線２２によって第１の圧力センサ１６、配線２４によって第２の圧力センサ１８に電気的に接続されている。実際には、圧力センサ１６及び１８、並びにＣＰＵ２０が共通のセラミック基板すなわちＰＣボード２６上に配置され、配線２２及び２４もＰＣボード２６上に配置されている。ＣＰＵ２０は、当分野で周知の方法でテレメトリーによって外部装置と無線通信するためのアンテナ２８を含むのが好ましい。ＣＰＵ２０は、第１の圧力センサ１６と第２の圧力センサ１８の差圧を計算するためのプロセッサを含む。
【００１２】
第１のカテーテル３８が、ハウジング１２に接続され連通している。第１のカテーテル３８は、過剰な流体を脳室から排出するために脳の脳室内に留置可能な脳室カテーテルが好ましい。カテーテル３８は、複数の排出開口４２を含む。脳室と排出部位（腹膜または右心房）との差圧がバルブ１４によって設定された差圧を超えたときに、脳脊髄液が脳室から排出開口４２を介して排出されるのが好ましい。第３の圧力センサ４０が、好ましくは開口３２の先端側の第１のカテーテル３８内に配設されている。第３の圧力センサ４０は、配線４４によってＣＰＵ２０に電気的に接続されている。図３に模式的に例示されているように、配線４４がカテーテルの外側に配置されているが、実際には、配線４４は、好ましくはカテーテル３８内を通ってＰＣボード２６を経てＣＰＵ２０まで延びている。同様に、排出カテーテル３０も、当分野で周知の方法で脳室から体の他の部位に流体を排出するためにハウジング１２に接続され連通している。第４の圧力センサ３４が、好ましくは複数の排出開口３２の先端側の排出カテーテル３０内に配設されている。第４の圧力センサ３４は、配線３６によってＣＰＵ２０に電気的に接続されている。配線４４と同様に、配線３６も、好ましくはカテーテル３０内に配設され、ＰＣボード２６及びＣＰＵ２０に電気的に接続されている。
【００１３】
ＣＰＵ２０は、圧力センサ１６、１８、３４、及び４０の全ての差圧または絶対圧力を測定することができる。この情報は、好ましくはテレメトリーによって外部装置に送られ、医療スタッフがこれを用いて、シャントが正常に機能しているか否かを決定することができる。例えば、第３の圧力センサ４０と第２の圧力センサ１８の差圧が大きい、すなわちセンサ４０によって検出された圧力が比較的高く、センサ１８によって検出された圧力が比較的低い場合、オペレーターが第１のカテーテル３８が閉塞していることを知ることができる。同様に、バルブ１４の直前の上流のセンサ１８と直後の下流のセンサ１６によって測定された圧力に基づいて、バルブ１４が正常に機能しているか否かを決定することができる。例えば、バルブ１４が水頭圧１００ｍｍで開くように設定され、バルブの前後の差圧が水頭圧１００ｍｍ（バルブの設定圧力）より高い場合は、バルブが正常に機能していないことを示唆する。測定圧力がバルブの設定圧力を超えた場合は、バルブの故障の可能性を示唆する。別の例では、４つ全てのセンサによって検出された圧力が比較的高い場合は、排出カテーテル３０が閉塞し、流体がこのカテーテル３０から排出されていないことを示唆する。最後に、センサ１６と第４のセンサ３４の差圧が比較的低い場合は、この先端側のカテーテルが正常に機能していることが分かる。しかしながら、この差圧が比較的高い場合は、排出カテーテル３０におけるセンサ１６とセンサ３４との間のどこかが閉塞していると推測できる。
【００１４】
ここで図５及び図６を参照すると、本発明の別の実施形態が例示されている。この実施形態における多くの要素は、図１−図４に示され上述した実施形態の要素と同一である。従って、説明を簡単にするために、異なる要素のみについて説明する。この実施形態において、バルブ１４の一側と他側との間の障壁を成す膜５０が、差圧センサとして作用し、所望に応じて第１の圧力センサ１６と第２の圧力センサ１８の代わりに用いることができる。図６に例示されているように、膜５０の下側の面が流路５２によってバルブの上流の流体圧力を受け、膜５０の上側の面がバルブの下流の流体圧力を受ける。ここで用いた用語「下側の」及び「上側の」は、本発明の説明を簡単にするために図面に関連して用いたものであって、本発明の範囲を限定することを意図するものではない。使用する場合、上側として記載したハウジングの部分が、実際には下側となり得、その逆も同様である。
【００１５】
膜５０は、配線５４によってＣＰＵ２０に電気的に接続されている。図６に模式的に例示されているように、配線５４がシャントハウジングの外側に配置されているが、実際には、配線５４は、好ましくはＰＣボード２６の上部のシャントハウジング内を通って、ＣＰＵ２０に接続されている。当業者であれば、膜５０は、言及することを以ってその内容の全てを本明細書の一部とする米国特許第５，４３１，０５７号及び同第５，６３３，５９４号に開示されているような従来のデザインとすることができる。膜５０の位置に基づいて、バルブの前後の差圧を決定することができる。従って、膜５０から受け取った信号によりバルブが正常に動作しているか否かを決定することができる。例えば、バルブ１４が水頭圧１００ｍｍで開くように設定され、バルブの前後の差圧が水頭圧１００ｍｍ（バルブの設定圧力）より高い場合は、バルブが正常に機能していないことを示唆する。測定圧力がバルブの設定圧力を超えた場合は、バルブの故障の可能性を示唆する。
【００１６】
上記した各実施形態では、センサが内部のＣＰＵ２０と直接通信するとして記載した。しかしながら、それぞれのセンサは、テレメトリーによって外部装置と通信することができる。従って、外部装置がＣＰＵ２０の機能を果たすことになる。別法では、ＣＰＵが各センサからの個々の圧力測定値を送信し、外部受信機が必要な計算を行うようにできる。
【００１７】
従って、本発明に従った移植された医療装置の性能を診断するための方法は、第１の圧力センサによって測定された圧力を第２の圧力センサによって測定された圧力と比較する、または第１から第４の圧力センサの任意の１つの圧力センサによって測定された圧力を第１から第４の圧力センサの別の任意の１つの圧力センサによって測定された圧力と比較し、これらの比較した圧力を外部装置に無線送信することを含む。別法では、ＣＰＵが、第１から第４の圧力センサの任意の１つによって測定された圧力の絶対値を外部装置に無線送信する。ＣＰＵ及び各センサの作動は、高周波テレメトリーを用いて外部装置によって非侵襲的に行われるのが好ましい。しかしながら、ＣＰＵ及び各センサの作動は、光学的または音響的方法を用いて非侵襲的に行うこともできる。また、各センサが音波を用いて外部装置と直接通信するようにして、ＣＰＵを排除することもできる。このようなセンサは現在、イスラエル国、３８９００、カエサアリア、インダストリアル、パーク、ハラミッシュ通り７（7 Halamish St, Caesaria Industrial Park, 38900, Israel）に所在のレモン・メディカル・テクノロジー社（Remon Medical Technology Ltd,）が販売している。別法では、当業者であれば想到するように、ＣＰＵ及び各センサが高周波または光を用いて外部装置と通信することができる。光学信号／エネルギー伝送装置の一例が、言及することを以ってその全てを本明細書の一部とする、１９９９年の米国アトランタにおけるＢＭＥＷ−ＥＭＢＳ第１回ジョイントコンファレンスで発表された、エム・グロス（M. Gross）他による「網膜移植のための光学信号／エネルギー伝送装置（Optical Signal and Energy Transmission for a Retina Implant）」に開示されている。
【００１８】
本発明に従った移植用医療装置の性能を診断するための圧力センサを備えた該移植用医療装置の好適な例示的な実施形態をこれまで説明してきたが、当業者であれば、ここに記載した開示から他の変更形態、変形形態、及び改良形態が可能であることを理解できよう。従って、このような変更形態、変形形態、及び改良形態の全てが、添付の特許請求の範囲で規定された本発明の範囲内であることを理解されたい。
【００１９】
本発明の実施態様は以下の通りである。
（１）前記ＣＰＵが、前記第１の圧力センサ及び前記第２の圧力センサに電気的に接続されていることを特徴とする請求項１に記載の装置。
（２）前記ＣＰＵが、外部装置と無線通信するためのアンテナを含むことを特徴とする実施態様（１）に記載の装置。
（３）前記ＣＰＵが、前記第１の圧力センサと前記第２の圧力センサとの差圧を計算するためのプロセッサを含むことを特徴とする実施態様（２）に記載の装置。
（４）前記ＣＰＵが、前記第１の圧力センサと前記第２の圧力センサとの差圧を計算するためのプロセッサを含むことを特徴とする請求項１に記載の装置。
（５）更に、前記ハウジングに接続され連通した第１のカテーテルと、前記第１のカテーテル内に配設された第３の圧力センサとを含むことを特徴とする請求項１に記載の装置。
【００２０】
（６）前記第３の圧力センサが前記ＣＰＵに機能的に接続されていることを特徴とする実施態様（５）に記載の装置。
（７）前記第１のカテーテルが前記バルブの上流の前記ハウジングに接続され連通していることを特徴とする実施態様（６）に記載の装置。
（８）前記ＣＰＵが外部装置と無線通信するためのアンテナを含むことを特徴とする実施態様（７）に記載の装置。
（９）前記ＣＰＵが、前記第１の圧力センサと前記第２の圧力センサとの差圧を計算するため、及び前記第３の圧力センサと前記第１の圧力センサまたは前記第２の圧力センサの少なくとも一方との差圧を計算するためのプロセッサを含むことを特徴とする実施態様（８）に記載の装置。
（１０）更に、前記ハウジングに接続され連通した第２のカテーテルと、前記第２のカテーテル内に配設された第４の圧力センサとを含むことを特徴とする実施態様（９）に記載の装置。
【００２１】
（１１）前記第４の圧力センサが前記ＣＰＵに電気的に接続されていることを特徴とする実施態様（１０）に記載の装置。
（１２）前記第２のカテーテルが、前記バルブの下流の前記ハウジングに接続され連通していることを特徴とする実施態様（１１）に記載の装置。
（１３）前記ＣＰＵが、前記第１の圧力センサと前記第２の圧力センサとの差圧を計算するため、及び前記第４の圧力センサと前記第１の圧力センサまたは前記第２の圧力センサまたは前記第３の圧力センサの少なくとも１つとの差圧を計算するためのプロセッサを含むことを特徴とする実施態様（１２）に記載の装置。
（１４）前記ＣＰＵが高周波で非侵襲的に作動されることを特徴とする請求項１に記載の装置。
（１５）前記ＣＰＵが音波で非侵襲的に作動されることを特徴とする請求項１に記載の装置。
【００２２】
（１６）前記ＣＰＵが光で非侵襲的に作動されることを特徴とする請求項１に記載の装置。
（１７）前記ＣＰＵが前記ハウジング内に配設されていることを特徴とする請求項２に記載の移植用医療装置。
（１８）前記ＣＰＵが前記ハウジングの外部に配設されていることを特徴とする請求項２に記載の移植用医療装置。
（１９）前記装置が更に、前記ハウジングに接続され連通した第１のカテーテルと、前記第１のカテーテル内に配設された第３の圧力センサとを含み、前記方法が更に、前記第３の圧力センサによって測定された圧力を、前記第１の圧力センサ及び前記第２の圧力センサによって測定された一方の圧力とを比較するステップを含むことを特徴とする請求項３に記載の方法。
（２０）前記装置が更に、前記ハウジングに接続され連通した第２のカテーテルと、前記第２のカテーテル内に配設された第４の圧力センサとを含み、前記方法が、前記第４の圧力センサによって測定された圧力を、前記第１の圧力センサ、前記第２の圧力センサ、及び前記第３の圧力センサによって測定された何れか１つ圧力とを比較するステップとを含むことを特徴とする実施態様（１９）に記載の方法。
【００２３】
（２１）前記ＣＰＵが外部装置と無線通信するためのアンテナを含むことを特徴とする請求項５に記載の装置。
（２２）更に、前記ハウジングに接続され連通した第１のカテーテルと、前記第１のカテーテル内に配設された第２の圧力センサとを含むことを特徴とする請求項５に記載の装置。
（２３）前記第２の圧力センサが前記ＣＰＵに機能的に接続されていることを特徴とする実施態様（２２）に記載の装置。
（２４）前記第１のカテーテルが前記バルブの上流の前記ハウジングに接続され連通していることを特徴とする実施態様（２３）に記載の装置。
（２５）前記ＣＰＵが外部装置と無線通信するためのアンテナを含むことを特徴とする実施態様（２４）に記載の装置。
【００２４】
（２６）更に、前記ハウジングに接続され連通した第２のカテーテルと、前記第２のカテーテル内に配設された第３の圧力センサとを含むことを特徴とする実施態様（２５）に記載の装置。
（２７）前記第３の圧力センサが前記ＣＰＵに機能的に接続されていることを実施態様（２６）に記載の装置。
（２８）前記第２のカテーテルが、前記バルブの下流の前記ハウジングに接続され連通していることを特徴とする実施態様（２７）に記載の装置。
（２９）前記ＣＰＵが高周波で非侵襲的に作動されることを特徴とする請求項５に記載の装置。
（３０）前記ＣＰＵが音波で非侵襲的に作動されることを特徴とする請求項５に記載の装置。
【００２５】
（３１）前記ＣＰＵが光で非侵襲的に作動されることを特徴とする請求項５に記載の装置。
【図面の簡単な説明】
【００２６】
【図１】本発明に従った移植用シャントシステムの側面図である。
【図２】図１に示されている移植用シャントシステムの斜視図である。
【図３】図１に示されているシャントシステムの部分破断平面図である。
【図４】圧力センサとＣＰＵとの通信を示す模式図である。
【図５】本発明の別の実施形態に従ったシャントシステムの部分破断平面図である。
【図６】図５に示されているシャントシステムを模式したブロック図である。
【符号の説明】
【００２７】
１０    移植用シャントシステム
１２    ハウジング
１４    バルブ
１６    第１の圧力センサ
１８    第２の圧力センサ
２０    ＣＰＵ
２２、２４、３６、４４  配線
２６    ＰＣボード
３０    排出カテーテル
３２    排出開口
３４    第４の圧力センサ
３８    第１のカテーテル
４０    第３の圧力センサ
４２    排出開口
５０    膜
５２    流路
５４    配線
【図１】
2005013727.tif 000003
【図２】
2005013727.tif 000004
【図３】
2005013727.tif 000005
【図４】
2005013727.tif 000006
【図５】
2005013727.tif 000007
【図６】
2005013727.tif 000008
【外国語明細書】
2005013727000001.pdf